(57)【要約】      （修正有）【課題】空気の質を改善するライト付き扇風機を提供する。【解決手段】ライト付き扇風機はランプベース９と、駆動部材と、ファンガード１と、ファンガード内に設けられ、かつ駆動部材によって駆動されて回転するファンブレードと、ファンガードに周設され、かつランプベースによって駆動される光源モジュール７と、光を導くための導光板３と、を含み、光源モジュールの発光面は、ファンブレードの中心から離れる方向に向いて設けられ、導光板はリング状を呈し、かつ光源モジュールに周設され、ファンブレードは空気流入端と空気流出端とを含む。ライト付き扇風機は、空気を浄化するためのマイナスイオン発生装置５をさらに含み、ファンブレードの側面に設けられ、マイナスイオン発生装置の発生端部は、ファンブレードに平行に設けられるか、またはファンブレードの空気流出端の側に設けられる。【選択図】図２
0003226396.tif 000002
【実用新案登録請求の範囲】
【請求項１】
ライト付き扇風機であって、ランプベースと、駆動部材と、ファンガードと、前記ファンガード内に設けられ、かつ前記駆動部材によって駆動されて回転するファンブレードと、前記ファンガードに周設され、かつ前記ランプベースによって駆動される光源モジュールと、光を導くための導光板と、を含み、前記光源モジュールの発光面は、前記ファンブレードの中心から離れる方向に向いて設けられ、前記導光板はリング状を呈し、かつ前記光源モジュールに周設され、前記ファンブレードは空気流入端と空気流出端とを含み、前記ライト付き扇風機は、空気を浄化するためのマイナスイオン発生装置をさらに含み、前記マイナスイオン発生装置が、前記ファンブレードの側面に設けられ、前記マイナスイオン発生装置の発生端部は、前記ファンブレードに平行に設けられるか、または前記ファンブレードの空気流出端の側に設けられることを特徴とするライト付き扇風機。
【請求項２】
前記光源モジュールは前記ファンブレードに平行に設けられるか、または前記ファンブレードの空気流出端の側に設けられることを特徴とする請求項１に記載のライト付き扇風機。
【請求項３】
前記ファンブレードの軸方向における高さをｈとした場合、前記マイナスイオン発生装置の発生端部は、前記ファンブレードに平行し、かつ前記ファンブレードの空気流出端から０〜０．５ｈ離れたところに設けられることを特徴とする請求項１に記載のライト付き扇風機。
【請求項４】
前記ファンブレードの側面に設けられ、かつ前記ファンブレードに平行に設けられるか、または前記ファンブレードの空気流出端の側に設けられる赤外線受信装置をさらに含むことを特徴とする請求項１に記載のライト付き扇風機。
【請求項５】
前記ファンブレードの軸方向における高さをｈとした場合、前記赤外線受信装置の発生端部は、前記ファンブレードに平行し、かつ前記ファンブレードの空気流出端から０〜０．５ｈ離れたところに設けられることを特徴とする請求項４に記載のライト付き扇風機。
【請求項６】
前記ファンガードの前記ファンブレードの空気流入端に近い側にホルダーが設けられ、前記マイナスイオン発生装置および前記赤外線受信装置は両方ともに前記ホルダーに固定されていることを特徴とする請求項４に記載のライト付き扇風機。
【請求項７】
前記ホルダーは、中央部と、少なくとも２つの半径方向部とを含み、前記半径方向部は、前記ファンブレードの半径方向に沿って延びて形成され、前記マイナスイオン発生装置および前記赤外線受信装置はそれぞれ２つの前記半径方向部に設けられることを特徴とする請求項６に記載のライト付き扇風機。
【請求項８】
前記ファンガードは、フロントファンガードとバックファンガードとを含み、前記光源モジュールおよび前記導光板は両方ともに前記フロントファンガードと前記バックファンガードの間に挟まれて設けられることを特徴とする請求項１に記載のライト付き扇風機。
【請求項９】
前記ライト付き扇風機は前記フロントファンガード、前記導光板、および前記バックファンガードを貫通して設けられる留め具をさらに含み、前記フロントファンガードまたは前記バックファンガードに柱状凸部が突設され、前記フロントファンガードと前記フロントファンガードとの間に前記導光板を収容するためのクランプ溝が形成され、前記柱状凸部には、前記留め具に螺合するネジ穴を備えることを特徴とする請求項８に記載のライト付き扇風機。
【請求項１０】
前記バックファンガードは円弧状を呈することを特徴とする請求項８に記載のライト付き扇風機。
【考案の詳細な説明】
【技術分野】
【０００１】
本考案は、照明器具技術の分野に属し、具体的には、ライト付き扇風機に関する。
【背景技術】
【０００２】
ライト付き扇風機は、ランプの照明機能と扇風機の空気の流れを促進する機能の両方を備えている。ライト付き扇風機は、ランプと扇風機の機能を兼ね備えており、室内でよく使用され、エアコンを補助する電気製品として使用できる。ライト付き扇風機は、ファンの回転により負圧を生じて、気流がライト付き扇風機のバックファンガードから流入し、ライト付き扇風機のフロントファンガードから流出して空気を流させる機能を実現する。しかしながら、この形式では、空気質に関係なく、空気質を改善できなく、屋内で使用すると、逆に汚染された空気の流れを促進する。
【考案の概要】
【考案が解決しようとする課題】
【０００３】
本考案は、空気の質を改善できないという従来技術の技術的問題を解決するためのライト付き扇風機を提供することを目的とする。
【課題を解決するための手段】
【０００４】
上記の目的を実現するために、本考案で採用された技術的解決手段は、
ライト付き扇風機であって、ランプベースと、駆動部材と、ファンガードと、前記ファンガード内に設けられ、かつ前記駆動部材によって駆動されて回転するファンブレードと、前記ファンガードに周設され、かつ前記ランプベースによって駆動される光源モジュールと、光を導くための導光板と、を含み、前記光源モジュールの発光面は、前記ファンブレードの中心から離れる方向に向いて設けられ、前記導光板はリング状をしており、かつ前記光源モジュールに周設され、前記ファンブレードは空気流入端と空気流出端とを含み、ライト付き扇風機は、空気を浄化するためのマイナスイオン発生装置をさらに含み、前記マイナスイオン発生装置が、前記ファンブレードの側面に設けられ、前記マイナスイオン発生装置の発生端部は、前記ファンブレードに平行に設けられるか、または前記ファンブレードの空気流出端の側に設けられる、ライト付き扇風機を提供することである。
【０００５】
一態様において、前記光源モジュールは前記ファンブレードに平行に設けられるか、または前記ファンブレードの空気流出端の側に設けられる。
【０００６】
一態様において、前記ファンブレードの軸方向における高さをｈとした場合、前記マイナスイオン発生装置の発生端部は、前記ファンブレードに平行し、かつ前記ファンブレードの空気流出端から０〜０．５ｈ離れたところに設けられる。
【０００７】
一態様において、前記ライト付き扇風機は、前記ファンブレードの側面に設けられ、かつ前記ファンブレードに平行に設けられるか、または前記ファンブレードの空気流出端の側に設けられる赤外線受信装置をさらに含む。
【０００８】
一態様において、前記ファンブレードの軸方向における高さをｈとした場合、前記赤外線受信装置は、前記ファンブレードに平行し、かつ前記ファンブレードの空気流出端から０〜０．５ｈ離れたところに設けられる。
【０００９】
一態様において、前記ファンガードの前記ファンブレードの空気流入端に近い側にホルダーが設けられ、前記マイナスイオン発生装置および前記赤外線受信装置は前記ホルダーに固定されている。
【００１０】
一態様において、前記ホルダーは、中央部と、少なくとも２つの半径方向部とを含み、前記半径方向部は、前記ファンブレードの半径方向に沿って延びて形成され、前記マイナスイオン発生装置および前記赤外線受信装置がそれぞれ２つの前記半径方向部に設けられる。
【００１１】
一態様において、前記ファンガードは、フロントファンガードとバックファンガードとを含み、前記光源モジュールおよび前記導光板は両方ともに前記フロントファンガードと前記バックファンガードの間に挟まれて設けられる。
【００１２】
一態様において、前記ライト付き扇風機は、前記フロントファンガード、前記導光板、および前記バックファンガードを貫通して設けられる留め具をさらに含み、前記フロントファンガードまたは前記バックファンガードに柱状凸部が突設され、前記フロントファンガードと前記フロントファンガードとの間に前記導光板を収容するためのクランプ溝が形成され、前記柱状凸部には、前記留め具に螺合するネジ穴を備える。
【００１３】
一態様において、前記バックファンガードは円弧状を呈する。
【考案の効果】
【００１４】
従来技術に比べると、本考案のライト付き扇風機は、ランプベースと、駆動部材と、ファンガードと、ファンブレードと、光源モジュールと、および導光板と、を含み、光源モジュールはランプベースによって駆動されて発光し、ファンガードは駆動部材によって駆動されて回転し、光源モジュールはファンガードに周設され、かつその発光面はファンブレードの中心から離れる方向に向いて設けられ、導光板は光源モジュールに周設され、光源モジュールを側方式発光にさせ、ライト付き扇風機の軸方向に占有するスペースが低減される。また、ファンブレードの側面には、空気を浄化できるマイナスイオン発生装置がさらに設けられ、マイナスイオン発生装置の発生端部は、ファンブレードに平行に設けられるか、またはファンブレードの空気流出端の側に設けられるため、マイナスイオンがファンブレードの回転に生じた静電気によって影響されるのを防ぐことができ、マイナスイオンの空気を浄化する効果が確保される。
【図面の簡単な説明】
【００１５】
本考案の実施形態に係る技術的解決手段をより明らかにするために、以下、実施例または従来技術の説明に使用する必要がある図面を簡単に説明するが、明らかなことに、以下の説明における図面は、本考案のいくつかの実施例に過ぎない。当業者であれば、創造的な工夫をせずに、これらの図面により他の図面を取得することができる。
【００１６】
【図１】本考案の実施形態に係るライト付き扇風機の斜視図である。
【図２】本考案の実施形態に係るライト付き扇風機の構造を示す分解図である。
【図３】本考案の実施形態に係るファンガードおよびその内部構造を示す分解図である。
【図４】本考案の実施形態に係るライト付き扇風機のバックファンガードの斜視図である。
【考案を実施するための形態】
【００１７】
本願が解決しようとする技術的問題、技術的解決手段および考案の効果をより分かりやすくするために、以下に添付図面および実施例を参照しながら、本考案について詳しく説明する。ここで記載した具体的な実施例は本考案を説明するためのものに過ぎず、本考案を限定するためのものではないことを理解されたい。
【００１８】
ある部材が別の部材に「固定」または「設置」されると称する場合に、それが別の部材に直接的または間接的に位置するようにしてもよい。ある部材が別の部材に「連結」されると称する場合に、それは、別の部材に直接的または間接的に連結されるようにしてもよいことに留意されたい。
【００１９】
本考案の説明において、「長さ」、「幅」、「上」、「下」、「前」、「後」、「左」、「右」、「垂直」、「水平」、「頂」、「底」、「内」、「外」などの用語が示した方位または位置関係は、図面に示された方位または位置関係に基づいて本考案を説明しやすくおよび簡単化するためのものに過ぎず、装置または部品が特定の方位を有しそして特定の方位で構成し操作しなければならないことを指すまたは暗示するためのものではないため、本考案を限定するためものではないことを理解されたい。
【００２０】
また、“第１”、“第２”という用語は説明の目的だけに用いられ、比較的重要性を指示または暗示するか、あるいは示された技術的特徴の数を黙示的に指示するためのものと理解してはいけない。したがって、“第１”、“第２”などで限定された特徴は、１つまたは複数の該特徴を明示的または暗黙的に含むことができる。本考案の説明において、別途明確かつ具体的な限定がない限り、「複数」とは、二つ以上を意味する。
【００２１】
以下は、本考案の実施形態に係るライト付き扇風機について説明する。
【００２２】
図１と図２に示すように、ライト付き扇風機の一実施形態において、ライト付き扇風機は、ランプベース９と、駆動部材１３と、ファンガード１と、ファンブレード（図示せず）と、光源モジュール７と、導光板３と、を含む。ファンブレードは、ファンガード１の内側に設けられ、ファンブレードの回転時にユーザーを傷つけるのを防ぐ。駆動部材１３は、ファンブレードを回転させ、ファンブレードが回転する時に、ファンブレードの一端に空気が入り、ファンブレードの他端から空気が吹き出され、ファンブレードの空気が流入する端部は空気流入端であり、ファンブレードの空気が流出する端部は空気流出端であり、駆動部材１３は、ファンガード１の内側または外側に設けられてもよく、ここで限定しない。ライト付き扇風機は、空気を浄化するためのマイナスイオン発生装置５をさらに含み、マイナスイオン発生装置５は、ファンブレードの側面に設けられ、ファンブレードの回転の影響を受けないように配置される。ここで、ファンブレードの側面というのは、ファンブレードの半径方向の側を意味し、マイナスイオン発生装置５はファンブレードの縁部からずらして設けられる。マイナスイオン発生装置５の発生端部は、ファンブレードに平行に設けられ、またはファンブレードの空気流出端の側に設けられる。マイナスイオン発生装置５の発生端部、すなわち、マイナスイオンの放出口がファンブレードに平行に設けられるか、またはファンブレードの空気流出端の側に設けられるのは、マイナスイオンがファンブレードの回転に生じた静電気によって影響が与えられ、マイナスイオンの空気を浄化する効果が低減されることを防ぐ。さらに具体的には、ファンブレードの空気流入端の側が上部であり、ファンブレードの空気流出端の側は下部である場合、マイナスイオン発生装置５の発生端部がファンブレードに平行に設けられるか、またはファンブレードの下方に設けられる。
【００２３】
ランプベース９は、光源モジュール７を駆動して発光させるために使用され、ランプベース９は、外部電源に接続されると、光源モジュール７に電力を供給する。光源モジュール７は、ファンガード１に周設され、光源モジュール７の発光面は、ファンブレードの中心から離れる方向に向いて設けられ、すなわち、光源モジュール７はファンガード１の外周に向かって発光し、かつ導光板３は光源モジュール７の外周に周設され、光源モジュール７から放射された光は、光が均一に導かれるために導光板３を通過し、このような光源モジュール７と導光板３の配置方式は側方式発光であり、ライト付き扇風機の軸方向の厚さを低減でき、ライト付き扇風機の全体積を減らせる。従来の直下式発光において、光源モジュール７の発光面は、ファンブレードの空気流出端に向かって、そして光に十分な混合距離を与えるために、ライト付き扇風機の軸方向に大きなスペースを占有する必要があり、その結果、ライト付き扇風機全体が厚くなる。また、直下式発光のライト付き扇風機のファンガードの後部の縁部には、導光板用のスペースを残しく置く必要があるため、側方式発光のライト付き扇風機と同じ半径方向のスペースを有する場合、直下式発光のライト付き扇風機の空気流入口とファンブレードが小さく、空気の流出に影響する。
【００２４】
上記実施形態におけるライト付き扇風機は、ランプベース９と、駆動部材１３と、ファンガード１と、ファンブレードと、光源モジュール７と、導光板３と、を含む。ランプベース９は、光源モジュール７を駆動して発光させ、駆動部材１３は、ファンブレードを駆動して回転させ、光源モジュール７はファンガード１に周設され、その発光面は、ファンブレードの中心から離れる方向に向き、導光板３は光源モジュール７の外周に周設され、光源モジュール７は側方式発光であるため、ライト付き扇風機が占有する軸方向のスペースが低減される。ファンブレードの側面には、空気を浄化するためのマイナスイオン発生装置５をさらに設けられ、空気が浄化され、マイナスイオン発生装置５の発生端部は、ファンブレードに平行に設けられるか、またはファンブレードの空気流出端の側に設けられるため、マイナスイオン発生時にファンブレードが発生する静電気の影響を回避でき、マイナスイオンの浄化効果を確保する。
【００２５】
ライト付き扇風機の一実施形態において、光源モジュール７は、ファンブレードに平行に設けられるか、またはファンブレードの空気流出端の側に設けられるため、ファンブレードが回転する時に光源モジュール７の発光を遮断して影を生成するのを防ぐ。ここで、ファンブレードは自体の軸方向における高さはｈであり、すなわち、ファンブレードの空気流入端と空気流出端の間の距離はｈであり、ファンブレードの軸方向の中点はゼロであり、光源モジュール７はゼロまたはゼロ以下に設けられ、ファンブレードの光源モジュール７に対して影が生じる影響が低減される。
【００２６】
ライト付き扇風機の一実施形態において、マイナスイオン発生装置５の発生端部はファンブレードに平行に設けられ、マイナスイオン発生装置５によって占有されるライト付き扇風機の軸方向スペースを可能な限り減らすことができ、すなわち、マイナスイオン発生装置５の発生端部によって占有される軸方向スペースは、ファンブレードによって占有される軸方向スペースと重なって設置される。マイナスイオン発生装置５の発生端部は、ファンブレードの空気流出端から０〜０．５ｈ離れており、ファンブレードの軸方向の中点はゼロであり、マイナスイオン発生装置５の発生端部は、ゼロまたはゼロ以下に設けられ、ファンブレードによって生じた静電気の影響が低減される。
【００２７】
図３および図４に示すように、ライト付き扇風機の一実施形態において、ライト付き扇風機は赤外線受信装置６をさらに含み、赤外線受信装置６は赤外線リモコンと組み合わせて使用し、赤外線リモコンは信号を発射し、赤外線受信装置６は信号を受信した後、制御システムに情報をフィードバックする。制御システムは光源モジュール７の光強度と色温度等を制御し、駆動部材１３のスイッチと回転速度等も制御できる。赤外線受信装置６は、ファンブレードの側面、すなわち、ファンブレードの半径方向の縁側に設けられ、かつ赤外線受信装置６はファンブレードに平行に設けられるか、またはファンブレードの空気流出端の側に設けられ、ファンブレードの回転によって赤外線受信装置６の赤外線の受信を妨害するのが回避される。
【００２８】
任意選択で、赤外線受信装置６はファンブレードに平行に設けられ、赤外線受信装置６によって占有されるライト付き扇風機の軸方向スペースを可能な限り減らすことができ、すなわち、赤外線受信装置６によって占有される軸方向スペースは、ファンブレードによって占有される軸方向スペースと重なって設置される。赤外線受信装置６は、ファンブレードの空気流出端から０〜０．５ｈ離れており、ファンブレードの軸方向の中点はゼロであり、赤外線受信装置６は、、ファンブレードによる赤外線受信装置６に対する影響が低減されるように、ゼロ以下に設けられる。
【００２９】
図３および図４に示すように、ライト付き扇風機の一実施形態において、ファンガード１のファンブレードの空気流入端に近い側にホルダー４が設けられ、マイナスイオン発生装置５および赤外線受信装置６は両方ともにホルダー４に固定されている。ホルダー４は、マイナスイオン発生装置５および赤外線受信装置６の取付けを容易にする。さらに、ホルダー４は、ファンガード１のファンブレードの空気流入端に近い側に設けられ、すなわち、バックファンガード１２に設けられ、ライト付き扇風機の空気流出に影響しない。
【００３０】
任意選択で、ホルダー４の一実施形態において、ホルダー４は、中央部４１と、少なくとも２つの半径方向部４２とを含む。中央部４１は、ライト付き扇風機の中心に設けられ、ファンブレードの中心に対応して配置され、中央部４１は円盤形をしてもよい。半径方向部４２は、中央部４１から放射状に延びて形成され、半径方向部４２は、ファンブレードの縁部を超えるところまで延び、マイナスイオン発生装置５および赤外線受信装置６がファンブレードの縁部を超えることができるように配置されるため、ファンブレードの回転に影響されない。半径方向部４２の中央部４１から離れた端部を空気流出端の側に突設され、マイナスイオン発生装置５および赤外線受信装置６の取付け位置を突出してゼロ以下に設けられる。半径方向部４２の数は２つであってもよく、マイナスイオン発生装置５および赤外線受信装置６がそれぞれ２つの半径方向部４２に設けられる。半径方向部４２の数は３つであってもよく、マイナスイオン発生装置５および赤外線受信装置６は、そのうち２つの半径方向部４２に設けられる。各半径方向部４２は、中央部４１を中心として周方向に均等に配置される。
【００３１】
任意選択で、駆動部材１３はファンガード１の内側に設けられ、ファンガード１のバックファンガード１２には駆動部材１３を収納するためのキャビティが設けられる。中央部４１はキャビティの開口部を遮ることができるため、駆動部材１３が中央部４１に遮られており、駆動部材１３が保護され、中央部４１へのダストの侵入を防ぐことができる。
【００３２】
図３に示すように、ファンガード１の一実施形態において、ファンガード１はフロントファンガード１１と、バックファンガード１２と、を含み、光源モジュール７および導光板３は両方ともにフロントファンガード１１とバックファンガード１２の間に挟まれて設けられ、それにより、光源モジュール７から発せられた光は側方から導光板３に入射し、導光板３によって発光するする。光源モジュール７と導光板３は両方ともリング状であり、光源モジュール７が導光板３の内周側に設けられ、光源モジュール７の発光面は、導光板３の内周側に向いて設けられる。光源モジュール７は、フレキシブル回路基板とランプビーズで構成できるため、光源モジュール７をリング状に曲げることができる。駆動部材１３とランプベース９は、両方ともにバックファンガード１２に取り付けられ、ライト付き扇風機の空気流出に影響を与えない。
【００３３】
任意選択で、ランプベース９はファンガードの外側に設けられ、ランプベース９とバックファンガード１２は自在軸継手８またはヒンジによって可動的に連結されているため、ファンガード１はランプベース９に対して回転でき、ファンガードのスイング動作が実現される。
【００３４】
任意選択で、バックファンガード１２は円弧状を呈し、バックファンガード１２の軸方向に占有するスペースを最小化するように設けられる。バックファンガード１２には空気流入口が開設され、空気流入口はバックファンガード１２の中心またはバックファンガード１２の縁部に設けられ、直下式発光のライト付き扇風機に対して、空気流入口の配置は導光板３に影響を与えず、バックファンガード１２の縁部に設けられる。
【００３５】
図３および図４に示すように、ライト付き扇風機の一実施形態において、ライト付き扇風機は、フロントファンガード１１およびバックファンガード１２を固定するための留め具をさらに含む。フロントファンガード１１またはバックファンガード１２に柱状凸部１２１が突設され、柱状凸部１２１の配置によってフロントファンガード１１とバックファンガード１２との間に隙間が形成され、この隙間はクランプ溝であり、クランプ溝はリング状を呈するため、導光板３をクランプ溝に収容することができ、後に導光板３を固定しやすくなる。ここで、柱状凸部１２１は複数であり、ファンガードの周方向に沿って設けられる。そして、柱状凸部１２１には、留め具に螺合するネジ穴１２２が設けられ、柱状凸部１２１は支持機能だけでなく、連結機能も備える。留め具は、フロントファンガード１１、導光板３、バックファンガード１２を貫通して設けられるため、フロントファンガード１１、バックファンガード１２、および導光板３を固定的に連結する。柱状凸部１２１がフロントファンガード１１に設けられた場合、留め具はバックファンガード１２と導光板３を順番に貫通して柱状凸部１２１に連結される。柱状凸部１２１がバックファンガード１２に設けられた場合、留め具はフロントファンガード１１と導光板３を順番に貫通して柱状凸部１２１に連結される。留め具は任意選択でネジ、ボルト等のネジ部品であってもよい。
【００３６】
任意選択で、ライト付き扇風機は、光源モジュール７の側面の光線を遮断するための遮断リング２をさらに含み、遮断リング２は、留め具によってフロントファンガード１１とバックファンガード１２の間に固定することができ、遮断リング２には、対応して留め具を貫通させるための連結孔を開設される。遮断リング２の遮断により、光源モジュール７から発せられた光のほとんどは、導光板３によって導かれるため、光出力を増やすことができる。具体的には、柱状凸部１２１がバックファンガード１２に設けられた場合、遮断リング２は柱状凸部１２１の頂部に当接し、バックファンガード１２の縁部および遮断リング２はそれぞれ光源モジュール７の両側に対する遮断を形成するため、光出力が増大される。
【００３７】
上記は本考案の好ましい実施例に過ぎず、本考案を限定するものではなく、本考案の精神および原則においてなされたあらゆる変更、等価物による置換および改良等は、本考案の保護範囲に含まれるはずである。
【符号の説明】
【００３８】
１  ファンガード
１１  フロントファンガード
１２  バックファンガード
１２１  柱状凸部
１２２  ネジ穴
１３  駆動部材
２  遮断リング
３  導光板
４  ホルダー
４１  中央部
４２  半径方向部
５  マイナスイオン発生装置
６  赤外線受信装置
７  光源モジュール
８  自在軸継手
９  ランプベース
【図１】
0003226396.tif 000003
【図２】
0003226396.tif 000004
【図３】
0003226396.tif 000005
【図４】
0003226396.tif 000006